【事件の表示】
　特願２００３−２２４３１号「自動販売機の冷温表示装置」拒絶査定不服審判事件〔平成１６年６月２４日出願公開、特開２００４−１７８５４２号〕について、次のとおり審決する。
【結　論】
　本件審判の請求は、成り立たない。
【理　由】
１．手続の経緯
　本願は、特許法第４１条に基づく優先権主張を伴う平成１５年１月３０日（優先日：平成１４年９月３０日、特願２００２−２８５３４９号）の出願であって、平成１８年４月２５日付け拒絶理由に対して、同年６月２９日付け手続補正により明細書についての補正がなされたが、同年１２月１３日付けで拒絶査定がなされ、これに対して、平成１９年１月１８日に拒絶査定不服審判の請求がなされると共に、同年２月１４日付け手続補正により明細書についての補正がなされたものである。
　
２．平成１９年２月１４日付けの手続補正の補正の却下の決定
［補正の却下の決定の結論］
　平成１９年２月１４日付けの手続補正（以下「本件補正」という。）を却下する。
　
［理由］
（１）補正後の本願発明
　本件補正により、明細書の特許請求の範囲の請求項１は、次のように補正された。（下線部は、補正箇所を示す。）
　「庫内に収納された商品を温蔵，冷蔵状態に保存して販売する自動販売機であって、
横長の箱形に形成された
　前記ディスプレイ台に載置された一列分の商品見本に対応した冷温パターンがそれぞれ表示され、前記ディスプレイ台の内壁に添うように、左右で折り返して
その四隅に
　前記ディスプレイ台に載置された一列分の商品見本に対応した冷温パターンがディスプレイ台の前面に表示されるように、前記冷温パターン表示体を周回送りする回動駆動手段と、
　庫内に収納された商品の冷温販売モードの切り替えに応じて各商品見本に対応した所定の冷温パターンが前記ディスプレイ台の前面に表示されるように前記回動駆動手段を制御する制御手段と、
を備えたことを特徴とする自動販売機の冷温表示装置。」
　
（２）補正の目的の適否及び新規事項の有無
　本件補正は、補正前の明細書の特許請求の範囲の請求項１に記載された「ディスプレイ台」の形状について「横長の箱形に形成された」点を限定し、また、「無端の冷温パターン表示体」が「架け渡された」形態について「その四隅に」架け渡された点を限定するものであって、かつ、補正後の請求項１に記載される発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　また、本件補正は、新規事項を追加するものではない。
　
（３）独立特許要件
　そこで、本件補正による補正後の請求項１に記載されている事項により特定される発明（以下「本願補正発明」という。）が、特許出願の際独立して特許を受けることができるものか（平成１８年法律第５５号改正附則第３条第１項によりなお従前の例によるとされる同法による改正前の特許法第１７条の２第５項において準用する同法第１２６条第５項の規定に違反しないか）について、以下に検討する。
　
（３−１）引用文献の記載事項
（３−１−１）引用文献１について
　原査定の拒絶の理由に引用された、本願の優先日前の平成６年４月１５日に頒布された刊行物である特開平６−１０３４４８号公報（以下「引用文献１」という。）には、図面と共に、次の事項が記載されている。
ア．「【請求項１】庫内に収納した商品をホット，あるいはコールド商品として販売する自動販売機の冷温表示装置であり、ディスプレィ室に配備の商品見本, 商品選択釦に並置して各販売モードに対応したホット，コールド商品の種別を表示する冷温表示部を備えたものにおいて、冷温表示部を各販売モードに対応した冷温パターンを区分けして表示するパターン表示体と、該パターン表示体を販売モード切替指令に基づき自動的に指定の表示位置に切替える切替手段とから構成したことを特徴とする自動販売機の冷温表示装置。
【請求項２】冷温表示部の表示パターンの切り替えを、庫内側に装備した冷却，加熱切替装置の切替動作に連係して行うことを特徴とする請求項１記載の自動販売機の冷温表示装置。
【請求項３】商品選択釦の配列に沿って左右一対の巻取ドラムの間に巻きつけて張架したリボンに対し、その長手方向に各冷温パターンを区分けして表示したリボン型冷温パターン表示体と、販売モード切替指令に対応して前記表示体を指定のパターン表示位置に繰り出し操作するサーボモータとからなることを特徴とする請求項１記載の自動販売機の冷温表示装置。
【請求項４】商品選択釦の配列に沿って配置した回転ドラムに対し、その周面上に各冷温パターンを区分して表示したドラム型冷温パターン表示体と、販売モード切替指令に対応して前記表示体を指定のパターン表示位置に回転操作するサーボモータとからなることを特徴とする請求項１記載の自動販売機の冷温表示装置。
【請求項５】ドラム型冷温パターン表示体とサーボモータとの間を、サーボモータの１回転で表示パターンを１ピッチずつ送る間欠送り機構を介して相互連結したことを特徴とする請求項４記載の自動販売機の冷温表示装置。
【請求項６】冷温パターン表示体に対し、ホット，コールド商品の種別を暖色，寒色に色分けして冷温パターンを表示したことを特徴とする請求項３，または４記載の自動販売機の冷温表示装置。
【請求項７】パターン表示体を透光性のある材料で作り、かつその背後に照明灯を配置したことを特徴とする請求項３，または４記載の自動販売機の冷温表示装置。」（【特許請求の範囲】）
イ．「【従来の技術】昨今における頭記自動販売機では、庫内を複数の商品収納室に仕切るとともに、庫内側に装備した冷却装置（冷凍機の蒸発器），加熱装置（電熱ヒータ）を販売モードに合わせて切替え運転し、各室ごとに収納商品をホット商品，あるいはコールド商品として販売するようにしたホット・アンド・コールド自動販売機が主流をなしている。…（略）…図５はかかる自動販売機のディスプレィ室を示すものであり、図において、１は自動販売機の前面扉、２はディスプレィ室、３はディスプレィ台、４はディスプレィ台３の上に左右に並べて陳列した商品見本（ダミー缶）、５は各商品見本４と１対１で対応するように配備した商品選択釦、６はディスプレィ台３の前面に開口する表示窓３ａに差し込んでに取付けた冷温表示板であり、該表示板６にはホット，コールド商品の種別を「ＨＯＴ」，「ＣＯＬＤ」の文字，あるいは暖色（赤色），寒色（青色）に色分けして表示されている。」（段落【０００２】〜【０００４】）
ウ．「【実施例】以下、本発明の実施例による自動販売機に搭載の冷温表示装置の構成，並びに動作を図面に基づいて説明する。なお、各実施例で図５に対応する同一部品には同じ符号が付してある。
実施例１：図１（ａ),（ｂ）において、冷温表示装置は、ディスプレィ台３の内部に組み込まれた左右一対の巻取ドラム７，８と、該巻取ドラム７と８との間に巻きつけてディスプレィ台３の前面に開口する表示窓３ａに臨ませたリボン状の冷温パターン表示体９と、巻取ドラム７に連結したサーボモータ（例えばステップモータ）１０と、該サーボモータ１０を運転制御するコントローラ１１と、パターン表示体９の裏面側に配備した照明灯１２とから構成されている。また、前記の冷温パターン表示体９は透光性のフィルムで作られたものであり、自動販売機の商品収納室が左右二室からなる場合には、その中間を境に左右の領域が、それぞれホット，コールド商品の種別を表す「ＨＯＴ」，「ＣＯＬＤ」の文字，あるいは赤色（暖色），青色（寒色）に色分けして区分表示されている。なお、図示されてないが、自動販売機の庫内側に仕切られた各商品収納室には冷却，加熱切替装置（例えば、本発明と同一出願人より特願平３−１８４９４３号として提案されている電動式のホット，コールド切替シャッタ機構）を備えていおり、この冷却，加熱切替装置は前記の冷温表示装置に与えた販売モード切替指令で同時に切替動作するように連係されている。
　かかる構成で、リモート操作などによりコントローラ１１に販売モード切替指令を与えると、前記した庫内側の冷却，加熱切替装置が切替動作するとともに、一方ではサーボモータ１０が始動して冷温パターン表示体９を指定されたパターン表示位置に繰り出す。次に、各販売モードに対応してディスプレィ台３の表示窓３ａに表示された冷温パターンを図２に示す。なお、図中で＃１〜＃１０は左右に並ぶ商品選択釦５の配列を表している。ここで、販売モードＩは全商品をコールド商品として販売している場合であり、販売モード切替指令によりサーボモータ１０が冷温パターン表示体９を左側一杯に巻き戻して各商品選択釦（＃１〜＃１０）に対応する表示を全て「ＣＯＬＤ」に切り替える。また、販売モードIIは左側の５セレクション（＃１〜＃５）でホット商品、右側の５セレクション（＃６〜＃１０）でコールド商品を販売している場合であり、冷温パターン表示体９は左側半分で「ＨＯＴ」，右側半分で「ＣＯＬＤ」を表示する位置に繰り出し移動する。さらに販売モードIII は全商品をホット商品として販売する場合であり、冷温パターン表示体９はパターン表示が全て「ＨＯＴ」となる位置に繰り出し移動する。」（段落【００１５】〜【００１６】）
エ．図５には、ディスプレィ台３が横長の箱形に形成されている点、当該ディスプレィ台３上に複数の商品見本４が左右に並べて一列に陳列された点、及び、冷温表示板６にディスプレィ台３に載置された一列分の商品見本４に対応した冷温パターンがそれぞれ表示された点が図示されている。
オ．図１には、冷温パターン表示体９が、ディスプレィ台３の前面側の内壁に添うように配置された点が図示されている。
　
　ここで、図５は、上記「イ．」に記載されたとおり、従来の自動販売機を示したものであるが、引用文献１の上記「冷温パターン表示体９」は、同図に示された従来の自動販売機における冷温表示板６に代わるものであり、さらに上記「ウ．」の販売モード切替に関する記載事項等も勘案すれば、当該「冷温パターン表示体９」も冷温表示板６と同様に、ディスプレィ台３に載置された一列分の商品見本４に対応した冷温パターンがそれぞれ表示されたもの（上記「エ．」参照）であることは明らかである。
　また、上記「ア．」の「表示体を指定のパターン表示位置に繰り出し操作する」こと、あるいは「ウ．」の「冷温パターン表示体９を指定されたパターン表示位置に繰り出す」ことが、所定の冷温パターンを、ディスプレィ台３の前面の表示窓３ａに表示させるために行われる操作であることも明らかある。
　
　以上の記載事項及び図示事項を総合的に勘案して、本願補正発明の発明特定事項の記載ぶりに則って整理すると、引用文献１には、次の発明（以下「引用発明１」という。）が記載されていると認められる。
　「庫内に収納した商品をホット，あるいはコールド商品として販売する自動販売機であって、横長の箱形に形成されたディスプレィ台３上に左右に並べて一列に陳列した複数の商品見本４に対応して冷温パターンを表示する自動販売機の冷温表示装置において、
　前記ディスプレィ台３に載置された一列分の商品見本４に対応した冷温パターンがそれぞれ表示され、前記ディスプレィ台３の前面側の内壁に添うように、左右一対の巻取ドラム７，８の間に巻きつけた冷温パターン表示体９と、
　前記ディスプレィ台３に陳列した一列分の商品見本４に対応した冷温パターンがディスプレィ台３の前面の表示窓３ａに表示されるように、前記冷温パターン表示体９を回転操作する巻取ドラム７，８及び巻取ドラム７に連結したサーボモータ１０と、
　庫内に収納した商品の販売モード切替指令に対応して各商品見本４に対応した所定の冷温パターンが前記ディスプレィ台３の前面の表示窓３ａに表示されるように前記サーボモータ１０を運転制御するコントローラ１１と、
を備えた自動販売機の冷温表示装置。」
　
（３−１−２）引用文献２について
　原査定の拒絶の理由に引用された、本願の優先日前の平成２年２月１６日に頒布された刊行物である実願昭６３−９８６４８号（実開平２−２３７８６号）のマイクロフィルム（以下「引用文献２」という。）には、図面と共に、次の事項が記載されている。
カ．「１）商品選択ボタンの列の近傍に細長いベルトを商品選択ボタンの列に平行に移動可能なように並置し、ベルトの長手方向の一領域上にはホット表示を形成し、それに続いてベルトの長手方向の残る領域上にはコールド表示を形成し、ベルトを移動させることにより商品選択ボタンとベルトのホット又はコールド表示との対応関係を変更し得るようにした自動販売機の冷温表示装置。」（実用新案登録請求の範囲）
キ．「本考案は、ホット飲料とコールド飲料を販売する自動販売機における販売商品の冷温表示装置に関する。」（明細書第１ページ第１５〜１７行）
ク．「第１図ａ、ｂは本考案の一実施例のそれぞれ一部切欠正面図、平面図で、ベルトのみを取り出したものである。１は無端ベルトで、内部の両端に配置した２個のプーリー２、３により張架され、プーリー２、３を駆動することにより矢印方向に移動し得るようになっており、その外表面は、境界線４、５によりその左側の領域Ａは青地にし、小区分に分けて「ＣＯＬＤ」なる表示が若干相互に間隔を明けて複数個設けられ、残りの右側の領域Ｂが赤地にし、同様に小区分に分けて「ＨＯＴ」なる表示が若干相互に間隔を明けて複数個設けられている。…（略）…無端ベルト１は光透過性の素材例えばプラスチックフィルムで形成することができ、その場合無端ベルトの内部に蛍光灯６を挿入すると、表示が浮き上がって利用者が明瞭に視認することができる。」（明細書第４ページ第１４行〜第５ページ第１１行）
ケ．「第２図ａ、ｂは本考案の別の実施例のそれぞれ正面図、平面図で、ベルトのみを抜き出したものである。ベルト７は両端をそれぞれ回転軸８、９に巻き付けられ、回転軸８、９を駆動することによって矢印方向に移動し得るようになっており、その外表面は、境界線１０の左の領域Ａは青地にし、小区分に分けて「ＣＯＬＤ」なる表示が若干相互に間隔を明けて複数個設けられ、境界線１０より右の領域Ｂは赤地にして同様に小区分に分け「ＨＯＴ」なる表示が若干相互に間隔を明けて複数個設けられている。またベルト７の後方には第１図の場合と同様に蛍光灯１１を置き照示させることもできる。」（明細書第５ページ第１２行〜第６ページ第４行）
コ．「第３図は本考案の冷温表示装置を装備した自動販売機の外観正面図で、本体１２の上部には販売商品を表示する電照部１３があり、その下に商品選択ボタンの列１４が配置され、この列１４に並べて冷温表示装置１５が設けられている。１６はコイン投入口、１７は商品取出口である。今商品選択ボタン１０個の列の内、左側の６個のボタン１８〜２３をコールド飲料用、右側の４個のボタン２４〜２７をホット飲料用とする場合には、第４図ａに示すように、冷温表示装置１５のベルト２８を動かしてコールド表示とホット表示の境界線２９をボタン２３と２４の間に置くようにすれば、ボタン１８〜２３はベルト２８のコールド表示に対応し、ボタン２４〜２７はベルト２８のホット表示に対応することになる。」（明細書第６ページ第５〜１９行）
サ．第１図及び第２図には、左右方向に延びた矢印が図示されている。
　
　以上の記載事項及び図示事項を総合的に勘案すると、引用文献２には、次の発明（以下「引用発明２」という。）が記載されていると認められる。
　「ホット飲料とコールド飲料を販売する自動販売機における販売商品の冷温表示装置１５において、商品選択ボタンの列１４の近傍に細長い無端ベルト１を商品選択ボタンの列１４に平行に移動可能なように並置し、無端ベルト１の長手方向の一領域Ｂ上にはホット表示を形成し、それに続いてベルトの長手方向の残る領域Ａ上にはコールド表示を形成し、無端ベルト１は、内部の両端に配置した２個のプーリー２、３により張架され、プーリー２、３を駆動することにより無端ベルト１が左右方向に移動し商品選択ボタンと無端ベルト１のホット又はコールド表示との対応関係を変更し得るようにし、無端ベルト１の内部に蛍光灯６を挿入して、表示が浮き上がって利用者が明瞭に視認することができるようにした自動販売機における販売商品の冷温表示装置１５。」
　
（３−２）対比・判断
　本願補正発明と引用発明１とを対比すると、その機能・構造等からみて、後者の「庫内に収納した商品をホット，あるいはコールド商品として販売する自動販売機」は、前者の「庫内に収納された商品を温蔵，冷蔵状態に保存して販売する自動販売機」に相当し、以下同様に、「ディスプレィ台３」は「ディスプレイ台」に、「陳列した」は「載置された」に、「冷温パターン表示体９」は「冷温パターン表示体」に、「ディスプレィ台３の前面の表示窓３ａに」は「ディスプレイ台の前面に」に、「巻取ドラム７，８及び巻取ドラム７に連結したサーボモータ１０」は「回動駆動手段」に、「庫内に収納した商品」は「庫内に収納された商品」に、「販売モード切替指令に対応して」は「冷温販売モードの切り替えに応じて」に、「サーボモータ１０を運転制御する」は「回動駆動手段を制御する」に、及び「コントローラ１１」は「制御手段」に、それぞれ相当する。
　また、後者の「ディスプレィ台３の前面側の内壁に添うように、左右一対の巻取ドラム７，８の間に巻きつけた冷温パターン表示体９」は、前者の「ディスプレイ台の内壁に添うように、左右で折り返してその四隅に架け渡された無端の冷温パターン表示体」と、「ディスプレイ台の少なくとも前面の内壁に添うように、左右で折り返して架け渡された冷温パターン表示体」との点で共通しているといえる。
　さらに、後者の「冷温パターン表示体９を回転操作する」は、前者の「冷温パターン表示体を周回送りする」と、「冷温パターン表示体を送り操作する」点で共通しているといえる。
　
　してみれば、本願補正発明と引用発明１とは、
「庫内に収納された商品を温蔵，冷蔵状態に保存して販売する自動販売機であって、横長の箱形に形成されたディスプレイ台上に左右に並べて一列に載置された複数の商品見本に対応して冷温パターンを表示する自動販売機の冷温表示装置において、
　前記ディスプレイ台に載置された一列分の商品見本に対応した冷温パターンがそれぞれ表示され、前記ディスプレイ台の少なくとも前面の内壁に添うように、左右で折り返して架け渡された冷温パターン表示体と、
　前記ディスプレイ台に載置された一列分の商品見本に対応した冷温パターンがディスプレイ台の前面に表示されるように、前記冷温パターン表示体を送り操作する回動駆動手段と、
　庫内に収納された商品の冷温販売モードの切り替えに応じて各商品見本に対応した所定の冷温パターンが前記ディスプレイ台の前面に表示されるように前記回動駆動手段を制御する制御手段と、
を備えた自動販売機の冷温表示装置。」
　である点で一致し、次の点で相違する。
　
相違点：本願補正発明の冷温パターン表示体が「無端の冷温パターン表示体」であって、ディスプレイ台の「内壁に添うように…（略）…四隅に架け渡され」ており、また、これらの構造に応じて、回動駆動手段が冷温パターン表示体を「周回送りする」ものであるのに対し、引用発明１の冷温パターン表示体９（冷温パターン表示体）は無端ではなく、ディスプレィ台３（ディスプレイ台）の前面側の内壁には添っているものの、内壁に添うように四隅に架け渡されたものでもなく、また、巻取ドラム７，８及び巻取ドラム７に連結したサーボモータ１０（回動駆動手段）が冷温パターン表示体９（冷温パターン表示体）を周回送りするものでもない点。
　
　以下、上記相違点について検討する。
　引用発明２は、引用発明１と同じ技術分野に属するホット飲料とコールド飲料を販売する自動販売機の冷温表示装置に関する発明であって、本願補正発明の用語を用いれば、無端の冷温パターン表示体（無端ベルト１）と、当該無端の冷温パターン表示体（無端ベルト１）を周回送りする回動駆動手段（プーリー２、３）を備えたものといえる。
　さらに、引用文献２には、引用発明１と同様な無端状でないベルト７（第２図及び摘記事項「ケ．」参照。）からなる冷温パターン表示体を採用した構造と、引用発明２の無端ベルト１（第１図及び摘記事項「ク．」参照。）を採用した構造の両方の態様が、いずれも実施可能なものとして記載されていることも考慮すると、引用発明１の無端状でない冷温パターン表示体９と巻取ドラム７，８及び巻取ドラム７に連結したサーボモータ１０からなる構造に代えて、引用発明２の冷温表示装置の構造を採用することは、当業者が容易に想到し得たことである。ここで、引用発明２では、具体的には引用文献２の第１図に示されるように、「無端ベルト１（無端の冷温パターン表示体）の内部に蛍光灯６を挿入して、表示が浮き上がって利用者が明瞭に視認することができるように」しており、このような無端ベルト１（無端の冷温パターン表示体）と蛍光灯６との配置関係、及び引用発明１に関連して示された引用文献１の図１に示されたディスプレィ台３と冷温パターン表示体９と照明灯１２（上記「蛍光灯６」に相当する。）との配置関係を踏まえれば、引用発明２を引用発明１に適用する際、無端の冷温パターン表示体をその内部に照明灯１２が挿入される配置とすることは当然であり、そうすると、無端の冷温パターン表示体がディスプレィ台３の前面側の内壁だけではなく内壁全体に添うような配置となることは自明である。
　また、上記のように引用発明１に引用発明２を適用する際のプーリー２、３（回動駆動手段）の具体的な構造や配置は、無端ベルト１（無端の冷温パターン表示体）を利用して適切に表示を変更可能で、さらに蛍光灯６との配置関係で表示が明瞭に視認可能となるような範囲内で、当業者が適宜設計変更可能なものであり、自動販売機の技術分野において、無端状の表示体を四隅に架け渡して支持することが周知であること（例えば、特開２００１−１２６１２８号公報（図５）、特開昭５１−１２４４９８号公報（FIG.2, FIG3）等参照。）も考慮すれば、特に無端の冷温パターン表示体を四隅に架け渡して支持するような配置とすることも、当業者が必要に応じて適宜なし得た設計的事項に過ぎない。
　
　そして、本願補正発明の効果も、引用発明１、引用発明２及び周知技術から当業者が予測可能な範囲のものであり、格別のものでもない。
　
　したがって、本願補正発明は、引用発明１、引用発明２及び周知技術に基いて、当業者が容易に発明をすることができたものであるから、特許法第２９条第２項の規定により、特許出願の際独立して特許を受けることができない。
　
（３−３）むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により、却下すべきものである。
　
３．本願発明
　本件補正は、上記のとおり却下されたので、本願の請求項１に係る発明（以下「本願発明」という。）は、平成１８年６月２９日付け手続補正により補正された明細書の特許請求の範囲の請求項１に記載された事項により特定される、次のとおりのものである。
　「庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、
　前記ディスプレイ台に載置された一列分の商品見本に対応した冷温パターンがそれぞれ表示され、前記ディスプレイ台の内壁に添うように、左右で折り返して架け渡された無端の冷温パターン表示体と、
　前記ディスプレイ台に載置された一列分の商品見本に対応した冷温パターンがディスプレイ台の前面に表示されるように、前記冷温パターン表示体を周回送りする回動駆動手段と、
　庫内に収納された商品の冷温販売モードの切り替えに応じて各商品見本に対応した所定の冷温パターンが前記ディスプレイ台の前面に表示されるように前記回動駆動手段を制御する制御手段と、
　を備えたことを特徴とする自動販売機の冷温表示装置。」
　
４．引用文献の記載事項
　原査定の拒絶の理由に引用された引用文献１及び引用文献２及びその記載事項は、前記「２．（３−１）」に記載したとおりである。
　
５．対比・判断
　本願発明は、本願補正発明から、「ディスプレイ台」についての限定事項である「横長の箱形に形成された」との発明特定事項を削除し、また、「無端の冷温パターン表示体」が架け渡された形態についての限定事項である「その四隅に」との発明特定事項を削除したものに相当する。
　そうすると、本願発明の発明特定事項をすべて含み、さらに前記「２．（２）」に記載したように、他の発明特定事項を限定的に付加したものに相当する本願補正発明が、前記「２．（３−２）」に記載したとおり、引用発明１、引用発明２及び周知技術に基いて、当業者が容易に発明をすることができたものであり、また、特に本願発明は、上記のとおり「その四隅に」との事項を含まないものであることを考慮すると、本願発明は、引用発明１及び引用発明２に基いて当業者が容易に発明をすることができたものである。
　
６．むすび
　以上のとおり、本願発明は、引用発明１及び引用発明２に基いて、当業者が容易に発明をすることができたものであるから、特許法第２９条第２項の規定により、特許を受けることができない。
　よって、結論のとおり審決する。